(57)【特許請求の範囲】
【請求項１】
所定桁数からなる表示領域を有する表示部と、
文字データを記憶する記憶部と、
表示要求のあった要求文字列を構成する文字に関して、前記記憶部に記憶されている文字データを抽出し、前記表示領域に表示させる制御部と、を備える電子機器において、
前記記憶部は、前記表示領域の１桁幅の画像データの組み合わせであって、前記文字が前記文字データにより表示された場合の表示幅よりも狭い表示幅である当該文字に対応する画像データを、当該文字と関連付けて記憶し、
前記制御部は、前記要求文字列の文字数が前記所定桁数を超えた場合に、前記記憶部を参照して、当該要求文字列のうちの少なくとも一部の文字に関連付けられた前記画像データを抽出し、当該要求文字列の文字データのうちの少なくとも一部を、当該抽出した画像データで置換することを特徴とする電子機器。
【請求項２】
前記制御部は、前記表示領域中の所定の領域に表示する前記要求文字列の文字データを、前記画像データで置換する文字データとして選択することを特徴とする請求項１に記載の電子機器。
【請求項３】
前記要求文字列が、数の増加および数の減少の少なくとも一方がなされる数字列である請求項２に記載の電子機器。
【請求項４】
前記所定の領域が、前記数字列の最下位の数字の表示領域以外の表示領域である請求項３に記載の電子機器。
【請求項５】
前記制御部は、前記画像データに置換する要求文字列のうちの一部である部分文字列を複数選択し、当該部分文字列のそれぞれに関連付けられた前記画像データを前記記憶部から抽出し、前記部分文字列の文字データを前記画像データで置換することを特徴とする請求項１から４のいずれか１項に記載の電子機器。
【請求項６】
前記記憶部は、前記画像データを所定の規格により定められていないデータとして記憶することを特徴とする請求項１から５のいずれか１項に記載の電子機器。
【発明の詳細な説明】
【技術分野】
【０００１】
本発明は、表示部を備えた電子機器に関する。
【背景技術】
【０００２】
従来、携帯電話機等の電子機器は、ユーザに対して各種情報を提示するための表示部を備え、文字や画像の表示を行っている。このような電子機器の表示部は、その大きさの制約のため、視認性を確保しつつ表示可能な文字数は限られる。特に、携帯型の電子機器の場合には、表示部が小型であり、一度に表示可能な情報量が更に限られるため、長い文字列の表示には不向きであった。
【０００３】
例えば、表示部に表示する文字列の文字数が、表示可能な最大表示桁数を超える場合には、折り返して複数行に表示したり、折り返す領域がなければ情報を削ったりすることとなるため、視認性の低下や情報量の減少を引き起こす。また、スクロール動作により表示することも考えられるが、全体を一度に表示できないため、ユーザによる視認性が低下することとなる。
【０００４】
更には、フォントサイズを小さくすることで全体を表示させることもできるが、例えば、横方向の領域が足りずに文字を縮小した場合に、縦方向についても縮小される。その結果、不必要に小さな文字となってしまい、ユーザによる視認性が低下することとなる。
【０００５】
このように、表示可能な最大表示桁数が設けられた電子機器においては、出力する情報を効率良く表示させることが望まれる。そこで、例えば、特許文献１には、同じ文字列が繰り返し現れる場合には、前回と同じ文字列であることを示す文字を表示することにより、表示文字数を減少させる方法が提案されている。
【特許文献１】特開平１０−２４７３５７号公報
【発明の開示】
【発明が解決しようとする課題】
【０００６】
しかしながら、特許文献１の方法によれば、同じ文字列の繰り返しの場合には有効であるが、その他の文字列には適用できない。例えば、所定の領域に配置されるカウンタ表示等では、繰り上がりの可能性がある最大桁数分を確保する必要があるため、大きな領域を用意したり、表示部のサイズによっては配置ができなかったりする場合があった。
【０００７】
そこで本発明は、表示部の所定の領域に対して、文字列の視認性の低下を軽減することができる電子機器を提供することを目的とする。
【課題を解決するための手段】
【０００８】
本発明に係る電子機器（例えば、後述の携帯電話機１）は、所定桁数からなる表示領域を有する表示部（例えば、後述の表示部２１）と、文字データを記憶する記憶部（例えば、後述のメモリ４４）と、表示要求のあった要求文字列を構成する文字に関して、前記記憶部に記憶されている文字データを抽出し、前記表示領域に表示させる制御部（例えば、後述のＣＰＵ４５）と、を備え、前記記憶部は、前記表示領域の１桁幅の画像データの組み合わせであって、前記文字が前記文字データにより表示された場合の表示幅よりも狭い表示幅である当該文字に対応する画像データを、当該文字と関連付けて記憶し、前記制御部は、前記要求文字列の文字数が前記所定桁数を超えた場合に、前記記憶部を参照して、当該要求文字列のうちの少なくとも一部の文字に関連付けられた前記画像データを抽出し、当該要求文字列の文字データのうちの少なくとも一部を、当該抽出した画像データで置換することを特徴とする。
【０００９】
また、前記制御部は、前記表示領域中の所定の領域に表示する前記要求文字列の文字データを、前記画像データで置換する文字データとして選択することが好ましい。
【００１０】
また、前記要求文字列は、数の増加および数の減少の少なくとも一方がなされる数字列であることが好ましい。
【００１１】
また、前記所定の領域は、前記数字列の最下位の数字の表示領域以外の表示領域であることが好ましい。
【００１２】
また、前記制御部は、前記画像データに置換する要求文字列のうちの一部である部分文字列を複数選択し、当該部分文字列のそれぞれに関連付けられた前記画像データを前記記憶部から抽出し、前記部分文字列の文字データを前記画像データで置換することが好ましい。
【００１３】
また、前記記憶部は、前記画像データを所定の規格により定められていないデータとして記憶することが好ましい。
【発明の効果】
【００１４】
本発明によれば、表示部の所定の領域に対して、文字列の視認性の低下を軽減させることができる。
【発明を実施するための最良の形態】
【００１５】
［第１の実施形態］
以下、本発明の好適な実施形態の一例として、第１の実施形態を説明する。なお、電子機器の一例として携帯電話機１を説明するが、本発明はこれに限定されるものではない。例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ゲーム機、ノートパソコン等、様々な電子機器に適用可能である。
【００１６】
図１は、本実施形態に係る携帯電話機１の外観斜視図である。なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ）でもよい。
【００１７】
携帯電話機１は、操作部側筐体２と、表示部側筐体３と、を備えて構成される。操作部側筐体２は、表面部１０に、操作部１１と、携帯電話機１の使用者が通話時に発した音声が入力されるマイク１２と、を備えて構成される。操作部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００１８】
また、表示部側筐体３は、表面部２０に、各種情報を表示するための表示部２１と、通話の相手側の音声を出力するレシーバ２２と、を備えて構成されている。
【００１９】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とが互いに開いた状態（開放状態）にしたり、操作部側筐体２と表示部側筐体３とを折り畳んだ状態（折畳み状態）にしたりできる。
【００２０】
図２は、携帯電話機１の機能を示すブロック図である。携帯電話機１は、操作部１１と、マイク１２と、メインアンテナ４０と、ＲＦ回路部４１と、表示制御部４２と、音声処理部４３と、記憶部としてのメモリ４４と、制御部（変更部、選択部、抽出部、生成部、置換部）としてのＣＰＵ４５とが操作部側筐体２に備えられ、表示部２１と、レシーバ２２と、ドライバＩＣ２３とが表示部側筐体３に備えられている。
【００２１】
メインアンテナ４０は、所定の使用周波数帯（例えば、８００ＭＨｚ）で外部装置と通信を行う。なお、本実施形態では、所定の使用周波数帯として、８００ＭＨｚとしたが、これ以外の周波数帯であってもよい。また、メインアンテナ４０は、所定の使用周波数帯の他に、他の使用周波数帯（例えば、２ＧＨｚ）に対応できる、いわゆるデュアルバンド対応型による構成であってもよい。
【００２２】
ＲＦ回路部４１は、メインアンテナ４０によって受信した信号を復調処理し、処理後の信号をＣＰＵ４５に供給し、また、ＣＰＵ４５から供給された信号を変調処理し、メインアンテナ４０を介して外部装置（基地局）に送信する。また、その一方で、メインアンテナ４０によって受信している信号の強度をＣＰＵ４５に通知を行う。
【００２３】
表示制御部４２は、ＣＰＵ４５の制御に従って、所定の画像処理を行い、処理後の画像データをドライバＩＣ２３に出力する。ドライバＩＣ２３は、表示制御部４２から供給された画像データをフレームメモリに蓄え、所定のタイミングで表示部２１に出力する。
【００２４】
音声処理部４３は、ＣＰＵ４５の制御に従って、ＲＦ回路部４１から供給された信号に対して所定の音声処理を行い、処理後の信号をレシーバ２２に出力する。レシーバ２２は、音声処理部４３から供給された信号を外部に出力する。なお、この信号は、レシーバ２２に代えて、または、レシーバ２２と共に、不図示のスピーカから出力されるとしてもよい。
【００２５】
また、音声処理部４３は、ＣＰＵ４５の制御に従って、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２６】
メモリ４４は、例えば、ワーキングメモリを含み、ＣＰＵ４５による演算処理に利用される。具体的には、後述する所定の文字列を示す画像データの組み合わせ（図４）等を記憶する。なお、メモリ４４は、着脱可能な外部メモリを兼ねていてもよい。
【００２７】
ＣＰＵ４５は、携帯電話機１の全体を制御しており、例えば、ＲＦ回路部４１、表示制御部４２、音声処理部４３に対して所定の制御を行う。また、ＣＰＵ４５は、先に述べたメインアンテナ４０による電波状態や充電池（図示せず）の残量、不在着信および未読メールの有無等の内部状態を監視しており、この結果に基づいて、表示部２１の表示内容を変更する制御も行う。
【００２８】
以下、本実施形態では、携帯電話機１の表示部２１において、所定の表示領域（３桁幅）に配置されるカウンタ値が４桁となった場合の、ＣＰＵ４５の動作について説明する。
【００２９】
図３は、本実施形態に係るカウンタ値として、メールの受信ボックスについて件数表示を行った例を示す図である。図３（ａ）では、件数として所定の領域３１に最大３桁（９９９まで）の表示が可能となっている。図３（ｂ）では、この同一の領域３１に対して、４桁分のカウンタ値（１０００）を表示している。このような状況は、例えば、メモリ４４および機能の拡張により、保存件数が増加した場合等に起こり得る。
【００３０】
図４は、本実施形態に係る画像データの組み合わせを記憶した画像テーブルを示す図である。ここでは、カウントアップされるカウンタ値の十の位から千の位までの３桁分を表す２つの画像データの組み合わせを、３桁の数字の小さい順に記憶する。具体的には、番号「１」のデータは、数字の「１００」を表す画像であり、ＩＤ「１０」およびＩＤ「００」の画像データの組み合わせである。また、番号「２」のデータは、数字１０１を表す画像であり、ＩＤ「１０」およびＩＤ「０１」の画像データの組み合わせである。
【００３１】
なお、これらの画像データは、携帯電話機１が有する外字データとして記憶してもよい。ここで、外字とは、携帯電話機１に特有の文字として登録される文字である。例えば、この外字に、所定の規格（例えば、ＪＩＳ規格等）により定められた特定の文字集合（文字コード）に含まれない文字を含めるとしてもよい。この場合、上述のＩＤには、外字を示す文字コードを格納することとする。これにより、画像データ（外字）は、他の文字データと同様に扱われるので、文字データとは別に管理される画像データと比べて、表示制御および管理が容易になる。
【００３２】
図５は、本実施形態に係るカウンタ値がアップ／ダウンした場合の表示部２１における表示の様子を示す図である。ここでは、画像データへの置換部分を、３桁の表示領域のうち上位（左側）２桁に固定する。すなわち、ＣＰＵ４５は、カウンタ値が４桁となった場合には、十の位〜千の位までの３文字を２桁分の画像データに置換する。
【００３３】
ＣＰＵ４５は、カウンタ値を「９９９」の状態（図５（ａ））からカウントアップさせる（「１０００」にする）場合には、画像テーブル（図４）を参照し、番号「１」の画像データの組み合わせを抽出する。そして、ＣＰＵ４５は、元の数字（文字列）「１０００」の上３桁「１００」を、この画像データに置換して表示する（図５（ｂ））。
【００３４】
更に、ＣＰＵ４５は、カウンタ値のカウントアップを続け、一の位が「９」の状態（図５（ｃ））からカウントアップさせる（繰り上がる）場合、再び画像テーブル（図４）を参照し、次の列（番号「２」）の画像データの組み合わせを抽出する。そして、ＣＰＵ４５は、元の数字（文字列）「１０１０」の上３桁「１０１」を、この画像データに置換して表示する（図５（ｄ））。すなわち、本実施形態では、数字列の最下位の数字の表示領域以外の表示領域のデータを画像データで置換する。
【００３５】
ここで、カウンタ値をカウントダウンさせる場合は、ＣＰＵ４５は、カウンタ値の下１桁が「０」から「９」へ繰り下がる変化を監視する。そして、ＣＰＵ４５は、画像テーブル（図４）を逆順で（番号が大きいものから小さい方へ）参照し、画像データの組み合わせを抽出して表示する。
【００３６】
図６は、本実施形態に係るＣＰＵ４５の処理の流れを示す図である。ここでは、カウンタ値のアップ／ダウンが「９９９」以下の状態から開始された場合の処理を示す。
【００３７】
ステップＳ１では、ＣＰＵ４５は、カウンタ値がカウントアップして「９９９」を超えたか否かを判定する。この判定がＹＥＳの場合は、カウンタ値の表示が４桁となり、３桁の領域に収まらないため、ステップＳ２に移る。一方、この判定がＮＯの場合は、３桁の領域に収まるため、ステップＳ１の判定を繰り返す。
【００３８】
ステップＳ２では、ＣＰＵ４５は、順序番号Ｎを「１」に設定する。この順序番号Ｎは、画像テーブル（図４）の番号フィールドに相当し、「１」は１行目を示す。
【００３９】
ステップＳ３では、ＣＰＵ４５は、画像テーブル（図４）を参照し、番号Ｎに対応する画像データの組み合わせを抽出する。そして、ＣＰＵ４５は、カウンタ値を示す文字列を、一の位を残して、抽出した画像データの組み合わせに置換する。
【００４０】
ステップＳ４では、ＣＰＵ４５は、カウンタ値がカウントアップして、一の位が「９」から繰り上がったか否かを判定する。この判定がＹＥＳの場合は、画像データに置換された部分の変更が必要となるため、ステップＳ５に移る。一方、この判定がＮＯの場合は、ステップＳ６に移る。
【００４１】
ステップＳ５では、ＣＰＵ４５は、順序番号Ｎに「１」を加算し、画像テーブル（図４）の参照先を次（下）の行に移す。そして、ＣＰＵ４５は、ステップＳ３に移り、画像データの抽出および文字列の置換を行う。
【００４２】
ステップＳ６では、ＣＰＵ４５は、カウンタ値がカウントダウンして、一の位が「０」から繰り下がったか否かを判定する。この判定がＹＥＳの場合は、画像データに置換された部分の変更が必要となるため、ステップＳ７に移る。一方、この判定がＮＯの場合は、ステップＳ４に戻り、カウンタ値の変化の監視を継続する。
【００４３】
ステップＳ７では、ＣＰＵ４５は、順序番号Ｎから「１」を減算し、画像テーブル（図４）の参照先を前（上）の行に移す。
【００４４】
ステップＳ８では、ＣＰＵ４５は、順序番号Ｎが「１」未満であるか否かを判定する。この判定がＹＥＳの場合は、カウンタ値が「１０００」を下回り、文字列が３桁に収まるので、ステップＳ１に戻る。一方、この判定がＮＯの場合は、ステップＳ３に移り、画像データの抽出および文字列の置換を行う。
【００４５】
本実施形態によれば、カウンタ値が３桁から４桁にカウントアップされた場合であっても、所定の領域（３桁の幅）に対して、同一のカウンタ値を示す表示を行うことができる。このとき、スクロールや縦方向の縮小等を行わないため、カウンタ値の視認性の低下を軽減することができる。更には、カウンタ値のアップ／ダウンという、画像データの順番が既定される状況に適用したので、画像データの抽出が容易になる。
【００４６】
［第２の実施形態］
第１の実施形態では、カウンタ値のアップ／ダウンに伴い、画像データを順番に変更していく処理を示したが、本発明はこれには限られず、画像データの置換の順序が特定されない場合にも応用可能である。第２の実施形態では、入力された文字列が最大表示桁数（１０桁）を超えた場合のＣＰＵ４５の動作を説明する。
【００４７】
図７は、本実施形態に係る画像データの組み合わせを記憶した画像テーブルを示す図である。ここでは、３桁の文字列に対して、置換される画像データの組み合わせを対応付けて記憶する。具体的には、例えば、文字列「１００」に対して、ＩＤ「１０」およびＩＤ「００」の画像データが対応付けられる。
【００４８】
なお、これらの画像データは、第１の実施形態の画像データ（図４）と同様に、携帯電話機１が有する外字データとして、ＩＤには文字コードを格納してよい。
【００４９】
図８は、本実施形態に係る文字列が追加入力された場合の、表示部２１における表示の様子を示す図である。図８（ａ）では、１０桁の表示領域に、文字数１０の文字列が入力され、表示を行っている。この状態から更に追加で１文字の入力がなされた場合の表示を図８（ｂ）に、追加で２文字の入力がなされた場合の表示を図８（ｃ）に示す。
【００５０】
文字数１１の文字列が入力された場合（ｂ）、ＣＰＵ４５は、置換対象として最後尾の３文字「９０１」を選択し、対応する画像データの組み合わせを画像テーブル（図７）から抽出する。そして、ＣＰＵ４５は、文字列「９０１」を、抽出した２つの画像データの組み合わせに置換して表示する。
【００５１】
文字数１２の文字列が入力された場合（ｃ）は、３文字の文字列を２文字分の画像データで置換したのみでは、１０桁の表示可能領域に収まらないため、更に置換が必要となる。そこで、最後尾の３文字「０１２」と、その直前の３文字「７８９」と、を選択し、それぞれを画像データの組み合わせに置換して表示する。
【００５２】
すなわち、本実施形態では、画像データに置換する部分文字列として、「０１２」と「７８９」との２つ（複数）を選択し、これらの部分文字列の文字データを画像データで置換している。もちろん、選択する部分文字列の数は２つに限定するものではなく、２以上の適宜な数であってよい。
【００５３】
図９は、本実施形態に係るＣＰＵ４５の処理の流れを示す図である。
【００５４】
ステップＳ１１では、ＣＰＵ４５は、ユーザからの入力を受け付ける等により、表示部２１に表示する文字列データを変更する。
【００５５】
ステップＳ１２では、ＣＰＵ４５は、ステップＳ１１にて変更した後の文字列の長さが所定桁数（最大表示桁数）を超えているか否かを判定する。この判定がＹＥＳの場合は、文字列の置換が必要となるので、ステップＳ１３に移る。一方、この判定がＮＯの場合は、置換が必要ないので、文字列をそのまま表示して処理を終了する。
【００５６】
ステップＳ１３では、ＣＰＵ４５は、ステップＳ１１にて変更した後の文字列のうち、置換をすべき部分文字列を選択する。具体的には、例えば、文字列の最後尾から順に選択することとしてよい。
【００５７】
ステップＳ１４では、ＣＰＵ４５は、画像テーブル（図７）を参照し、ステップＳ１３にて選択した部分文字列に対応する画像データが登録されているか否かを判定する。この判定がＹＥＳの場合は、ステップＳ１５に移り、判定がＮＯの場合は、ステップＳ１３に戻り、他の部分文字列を選択する。
【００５８】
ステップＳ１５では、ＣＰＵ４５は、画像テーブル（図７）から、ステップＳ１３にて選択した部分文字列に対応する画像データの組み合わせを抽出する。
【００５９】
ステップＳ１６では、ＣＰＵ４５は、ステップＳ１３にて選択した部分文字列を、ステップＳ１５にて抽出した画像データの組み合わせにより置換し、表示部２１に表示させる。
【００６０】
ここでは、文字が追加されて文字列が長くなっていく場合の処理を説明した。逆に文字列が短くなっていく場合には、置換対象の部分文字列の数は減少し、画像データは元の文字列に戻される。そして、文字列の長さが最大表示桁数に収まるようになると、文字列データは置換されずに、そのまま表示される。
【００６１】
本実施形態によれば、ユーザにより入力される文字列等について、１行に収まる所定の文字数を超えて入力された場合であっても、入力された文字に応じた画像データで文字列を置換するので、改行やスクロールをすることなく、文字列を表示させることができる。このとき、スクロールや縦方向の縮小等を行わずに１行に表示させるので、文字列の視認性の低下を軽減することができる。
【００６２】
［第３の実施形態］
第１または第２の実施形態では、変更された文字列が最大表示桁数を超えた場合に、予め記憶しておいた画像データの組み合わせにより文字列を置換したが、本発明はこれには限られない。第３の実施形態では、ＣＰＵ４５により、置換する画像データを新たに生成する動作を説明する。
【００６３】
図１０は、本実施形態に係る画像データを記憶した画像テーブルを示す図である。ここでは、１つの文字に対して１つの画像データが対応付けられる。この画像データは、通常の文字に比べて幅を狭く表現したものであり、例えば、３つの画像データで２桁分の幅となるように設定される。
【００６４】
図１１は、本実施形態に係るＣＰＵ４５の処理の流れを示す図である。なお、ステップＳ１１〜Ｓ１３およびＳ１６は、第２の実施形態と共通である。
【００６５】
ステップＳ１１〜Ｓ１３では、第２の実施形態と同様に、ＣＰＵ４５は、変更後の文字列について、置換対象の部分文字列を選択する。
【００６６】
ステップＳ１４ａでは、ＣＰＵ４５は、画像テーブル（図１０）を参照し、ステップＳ１３にて選択した部分文字列を構成する文字に対応する画像データが登録されているか否かを判定する。この判定がＹＥＳの場合は、ステップＳ１５ａに移り、判定がＮＯの場合は、ステップＳ１３に戻り、他の部分文字列を選択する。
【００６７】
ステップＳ１５ａでは、ＣＰＵ４５は、画像テーブル（図１０）から、ステップＳ１３にて選択した部分文字列を構成する文字それぞれに対応する画像データを抽出する。
【００６８】
ステップＳ２１では、ＣＰＵ４５は、ステップＳ１５ａにて抽出した画像データを連結し、新たな画像データとして再構成する。ここで、新たな画像データは、抽出した画像データを連結した１つの画像データとしてもよいし、更に表示領域の１桁幅に分割し直した複数の画像データの組み合わせとしてもよい。
【００６９】
ステップＳ１６では、ＣＰＵ４５は、ステップＳ１３にて選択した部分文字列を、ステップＳ２１にて再構成した画像データにより置換し、表示部２１に表示させる。
【００７０】
本実施形態では、新たな画像データを自動生成するため、部分文字列に対応する画像データを予め登録しておく必要がない。したがって、本実施形態では、文字列の視認性の低下を軽減しつつ、１文字毎の画像データを登録しておくことにより、部分文字列に対応付けて画像データの組み合わせを登録するのに比べて、そのデータ量を削減できる。
【００７１】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００７２】
【図１】第１の実施形態に係る携帯電話機１の外観斜視図である。
【図２】第１の実施形態に係る携帯電話機１の機能を示すブロック図である。
【図３】第１の実施形態に係るカウンタ値の表示を行った例を示す図である。
【図４】第１の実施形態に係る画像テーブルを示す図である。
【図５】第１の実施形態に係るカウンタ値がアップ／ダウンした場合の表示の様子を示す図である。
【図６】第１の実施形態に係るＣＰＵ４５の処理の流れを示す図である。
【図７】第２の実施形態に係る画像テーブルを示す図である。
【図８】第２の実施形態に係る文字列が追加入力された場合の表示の様子を示す図である。
【図９】第２の実施形態に係るＣＰＵ４５の処理の流れを示す図である。
【図１０】第３の実施形態に係る画像テーブルを示す図である。
【図１１】第３の実施形態に係るＣＰＵ４５の処理の流れを示す図である。
【符号の説明】
【００７３】
１  携帯電話機
１１  操作部
１２  マイク
２１  表示部
２２  レシーバ
２３  ドライバＩＣ
４０  メインアンテナ
４１  ＲＦ回路部
４２  表示制御部
４３  音声処理部
４４  メモリ（記憶部）
４５  ＣＰＵ（制御部）
【図１】
0004996528.tif 000002
【図２】
0004996528.tif 000003
【図３】
0004996528.tif 000004
【図４】
0004996528.tif 000005
【図５】
0004996528.tif 000006
【図６】
0004996528.tif 000007
【図７】
0004996528.tif 000008
【図８】
0004996528.tif 000009
【図９】
0004996528.tif 000010
【図１０】
0004996528.tif 000011
【図１１】
0004996528.tif 000012